(57)【特許請求の範囲】
【請求項１】
容量可変型圧縮機及び室外熱交換器を備えた室外ユニットと、
室内熱交換器及び室内ファンを備えた複数台の室内ユニットとがユニット間配管により接続され、
前記室外熱交換器の一端が、前記容量可変型圧縮機の冷媒吐出管と冷媒吸込管とに択一に接続され、
前記ユニット間配管が、前記冷媒吐出管に接続された高圧ガス管と、前記冷媒吸込管に接続された低圧ガス管と、前記室外熱交換の他端に接続された液管とを有して構成され、
前記各室内ユニットは、前記室内熱交換器の一端が前記高圧ガス管と前記低圧ガス管に弁ユニットを介して択一に接続され、他端が前記液管に接続され、
前記複数台の室内ユニットを同時に冷房運転若しくは暖房運転可能とすると共に、これらの冷房運転と暖房運転を混在して実施可能とするよう構成された空気調和装置において、
各室内ユニットの要求する空調要求負荷を室内ユニットごとに算出し、これらの空調要求負荷に基づいて、前記圧縮機の容量を制御する圧縮機容量制御手段と、
前記空調要求負荷に基づいて、室外熱交換器の必要負荷を算出する室外必要負荷算出手段と、
この室外熱交換器の必要負荷に応じて前記室外熱交換器の熱交換能力を制御する熱交換能力制御手段と、
前記複数台の室内ユニットを同時に冷房運転と暖房運転を混在して実施しているときに、前記室外熱交換器の必要負荷に基づいて、前記室外ユニットの動作モードを冷房運転モード及び暖房運転モードのいずれかに決定する運転モード決定手段と、を備え、
前記複数台の室内ユニットを同時に冷房運転と暖房運転を混在して実施している場合には、前記室内ユニットごとに算出された空調要求負荷の各々に対して前記室内ユニットごとに該室内ユニットの吹出温度と目標吹出温度との差温に応じた分だけ増加させる補正を加えると共に、外気温度に対応する前記室外ユニットの空調能力が基準となる所定外気温度での空調能力に対して大のときは、その差に応じて前記室外熱交換器の必要負荷を増大させ、また、小のときは、その差に応じて前記室外熱交換器の必要負荷を減少させる
ことを特徴とする空気調和装置。
【請求項２】
前記室内ユニットごとに、前記室内ファンの回転数に対応する吹出風速レベルが低くなるほど前記空調要求負荷を減少させることを特徴とする請求項１に記載の空気調和装置。
【請求項３】
前記圧縮機が、エンジンで駆動されることを特徴とする請求項１又は２に記載の空気調和装置。
【発明の詳細な説明】
【０００１】
【発明の属する技術分野】
本発明は室外ユニットと複数台の室内ユニットを有し、複数台の室内ユニットを冷房運転若しくは暖房運転可能とする空気調和装置に関する。
【０００２】
【従来の技術】
一般に、容量可変型圧縮機及び室外熱交換器を備えた室外ユニットと、室内熱交換器及び室内ファンを備えた複数台の室内ユニットとがユニット間配管により接続され、室内ユニットを冷房運転若しくは暖房運転可能とするよう構成された空気調和装置が知られている。
【０００３】
この種の空気調和装置として、各室内ユニットの要求する空調要求負荷に基づいて、圧縮機の容量（能力）を制御するとともに、室外熱交換器の熱交換能力を制御するものが知られている。
【０００４】
【発明が解決しようとする課題】
しかしながら、従来の構成による室内ユニットの空調要求負荷の計算には、外気温度や室内ユニットの吹出温度の因子が含まれていないため、室内ユニットの空調要求負荷が過大又は過小に計算される場合があり、このような各室内ユニットの空調要求負荷の過大又は過小計算によって、要求された運転状態に到達するまでに時間を要するだけでなく、空気調和装置の各機器の耐久性に影響を及ぼす恐れがあり、また、室内ユニットの空気の吹出温度が安定せず、例えば、冷房運転時は冷風感、暖房運転時は温風感が得られない場合があり、また、外気温度の変化に対して空調能力が変化してしまうため、空気調和装置の空調性や運転の安定性に支障を来す場合があるという問題がある。
【０００５】
また、圧縮機が、例えば、エンジンで駆動される場合、各室内ユニットの空調要求負荷の過大又は過小計算によりエンジンの発停回数が増えると、スタータなどのエンジンを構成する機器の寿命にも影響を及ぼす恐れがあり、運転の安定性に支障を来す場合があるという問題がある。
【０００６】
そこで、本発明の目的は、上述した従来技術が有する課題を解消し、空調性や運転の安定性を向上させることができる空気調和装置を提供することにある。
【０００７】
【課題を解決するための手段】
請求項１記載の発明は、容量可変型圧縮機及び室外熱交換器を備えた室外ユニットと、室内熱交換器及び室内ファンを備えた複数台の室内ユニットとがユニット間配管により接続され、前記室外熱交換器の一端が、前記容量可変型圧縮機の冷媒吐出管と冷媒吸込管とに択一に接続され、前記ユニット間配管が、前記冷媒吐出管に接続された高圧ガス管と、前記冷媒吸込管に接続された低圧ガス管と、前記室外熱交換の他端に接続された液管とを有して構成され、前記各室内ユニットは、前記室内熱交換器の一端が前記高圧ガス管と前記低圧ガス管に弁ユニットを介して択一に接続され、他端が前記液管に接続され、前記複数台の室内ユニットを同時に冷房運転若しくは暖房運転可能とすると共に、これらの冷房運転と暖房運転を混在して実施可能とするよう構成された空気調和装置において、各室内ユニットの要求する空調要求負荷を室内ユニットごとに算出し、これらの空調要求負荷に基づいて、前記圧縮機の容量を制御する圧縮機容量制御手段と、前記空調要求負荷に基づいて、室外熱交換器の必要負荷を算出する室外必要負荷算出手段と、この室外熱交換器の必要負荷に応じて前記室外熱交換器の熱交換能力を制御する熱交換能力制御手段と、前記複数台の室内ユニットを同時に冷房運転と暖房運転を混在して実施しているときに、前記室外熱交換器の必要負荷に基づいて、前記室外ユニットの動作モードを冷房運転モード及び暖房運転モードのいずれかに決定する運転モード決定手段と、を備え、前記複数台の室内ユニットを同時に冷房運転と暖房運転を混在して実施している場合には、前記室内ユニットごとに算出された空調要求負荷の各々に対して前記室内ユニットごとに該室内ユニットの吹出温度と目標吹出温度との差温に応じた分だけ増加させる補正を加えると共に、外気温度に対応する前記室外ユニットの空調能力が基準となる所定外気温度での空調能力に対して大のときは、その差に応じて前記室外熱交換器の必要負荷を増大させ、また、小のときは、その差に応じて前記室外熱交換器の必要負荷を減少させることを特徴とする。
【００１１】
請求項２記載の発明は、請求項１に記載の発明において、前記室内ユニットごとに、前記室内ファンの回転数に対応する吹出風速レベルが低くなるほど前記空調要求負荷を減少させることを特徴とする。
【００１３】
請求項３記載の発明は、請求項１又は２記載の発明において、前記圧縮機が、エンジンで駆動されることを特徴とするものである。
【００１６】
請求項１記載の発明では、圧縮機容量制御手段により、各室内ユニットの要求する空調要求負荷に基づいて、圧縮機の容量（能力）が制御され、室外必要負荷算出手段により、各室内ユニットの要求する空調要求負荷に基づいて、室外熱交換器の必要負荷が算出され、熱交換能力制御手段により、室外熱交換器の必要負荷に応じて室外熱交換器の熱交換能力が制御され、第１補正手段により、各室内ユニットの吹出温度と設定される目標吹出温度とに差が生じる場合、各室内ユニットの吹出温度を目標吹出温度に近づけるべく空調要求負荷が補正され、第２補正手段により、外気温度と基準となる所定外気温度とに差が生じる場合、要求される空調能力に近づけるべく前記室外熱交換器の必要負荷が外気温度に応じて補正されることから、各室内ユニットの吹出温度が目標吹出温度に近づけられるとともに、空調能力が要求される空調能力に近づくように外気温度に応じて室外熱交換器の熱交換能力が制御されるので、空調性や運転の安定性を向上させることができる。
【００１７】
請求項１記載の発明では、第１補正手段として、各室内ユニットの目標吹出温度と吹出温度との差温に基づいて空調要求負荷が補正されることから、各室内ユニットの吹出温度が目標吹出温度に近づけられるので、空調性や運転の安定性を向上させることができる。
【００１８】
請求項２記載の発明では、第１補正手段として、室内ファンの回転数に基づいて空調要求負荷が補正されることから、各室内ユニットの吹出温度が目標吹出温度に近づけられるので、空調性や運転の安定性を向上させることができる。
【００２０】
請求項３記載の発明では、圧縮機がエンジンで駆動されることから、空調要求負荷の過大計算又は過小計算が減少し、空調要求負荷の過大計算又は過小計算によるエンジンの発停回数が減少するので、エンジンの耐久性を向上させることができる。
【００２１】
【発明の実施の形態】
以下、本発明の実施の形態を、図面に基づき説明する。
【００２２】
図１は、本発明に係る空気調和装置の一実施の形態を示す冷媒回路図である。この空気調和装置５０は、室外ユニット１と、複数台（例えば４台）の室内ユニット２ａ、２ｂ、２ｃ、２ｄとを備えて構成される。室外ユニット１は、室外に設置され、室内ユニット２ａ、２ｂ、２ｃ、２ｄは、室内に設置される。
【００２３】
室外ユニット１には、圧縮機１０と、室外熱交換器１１と、室外ユニット側の減圧機構としての室外膨張弁１８と、室外ファン３１とが備えられている。室外ファン３１は、室外熱交換器１１に近接して配置される。この室外ファン３１は、例えば、プロペラファンである。室外熱交換器１１は、少なくとも１台の室外熱交換器である。少なくとも１台の室外熱交換器として、室外熱交換器１１は、複数台（例えば２台）の室外熱交換器１１ａ、１１ｂであり、互いに並列に接続される。また、室外膨張弁１８は、例えば、２つの室外膨張弁１８ａ、１８ｂである。
【００２４】
圧縮機１０は、容量可変型圧縮機である。この圧縮機１０は、図示しないエンジン（例えば、ガスエンジン）によって駆動され、そのエンジンの回転数に応じて容量（能力）が可変される。
【００２５】
各室内ユニット２ａ、２ｂ、２ｃ、２ｄのそれぞれには、室内熱交換器２０ａ、２０ｂ、２０ｃ、２０ｄのそれぞれと室内ユニット側の減圧機構としての室内膨張弁２１ａ、２１ｂ、２１ｃ、２１ｄのそれぞれとが備えられている。各室内ユニット２ａ、２ｂ、２ｃ、２ｄのそれぞれを冷房運転させる場合は、室内熱交換器２０ａ、２０ｂ、２０ｃ、２０ｄのそれぞれを蒸発器として機能させ、室内ユニット２ａ、２ｂ、２ｃ、２ｄのそれぞれを暖房運転させる場合は、室内熱交換器２０ａ、２０ｂ、２０ｃ、２０ｄのそれぞれを凝縮器として機能させる。また、各室内ユニット２ａ、２ｂ、２ｃ、２ｄには、室内ファン３０ａ、３０ｂ、３０ｃ、３０ｄが備えられている。各室内ファン３０ａ、３０ｂ、３０ｃ、３０ｄは、室内熱交換器２０ａ、２０ｂ、２０ｃ、２０ｄのそれぞれに近接配置されて、これらそれぞれの室内熱交換器２０ａ、２０ｂ、２０ｃ、２０ｄで熱交換した空気を室内に送風する。室内ファン３０ａ、３０ｂ、３０ｃ、３０ｄは、例えば、クロスフローファンである。
【００２６】
室外ユニット１と室内ユニット２ａ〜２ｄとがユニット間配管４により接続される。このユニット間配管４は、高圧ガス管５、低圧ガス管６及び液管７を備えてなる。高圧ガス管５が冷媒吐出管１３に接続され、低圧ガス管６が冷媒吸込管１４に接続される。
【００２７】
上記室外ユニット１では、室外熱交換器１１ａの一端が、圧縮機１０の冷媒吐出管１３と冷媒吸込管１４とに、それぞれ切換弁１５ａ、１６ａを配設した高圧ガス分岐管８ａ、低圧ガス分岐管９ａを介して択一に分岐して接続されており、室外熱交換器１１ｂの一端が、圧縮機１０の冷媒吐出管１３と冷媒吸込管１４とに、それぞれ切換弁１５ｂ、１６ｂを配設した高圧ガス分岐管８ｂ、低圧ガス分岐管９ｂを介して択一に分岐して接続されている。また、冷媒吸込管１４にアキュムレータ１２が配設されている。液管７は、室外膨張弁１８ａ、１８ｂを配設した液分岐管１９ａ、１９ｂを介して室外熱交換器１１ａ、１１ｂの他端に接続される。
【００２８】
室内ユニット２ａ、２ｂ、２ｃ、２ｄの室内熱交換器２０ａ、２０ｂ、２０ｃ、２０ｄは、その一端が、室内側高圧ガス分岐管２２ａ、２２ｂ、２２ｃ、２２ｄを介して高圧ガス管５に接続されるとともに、室内側低圧ガス分岐管２３ａ、２３ｂ、２３ｃ、２３ｄを介して低圧ガス管６に接続される。また、室内ユニット２ａ、２ｂ、２ｃ、２ｄの室内熱交換器２０ａ、２０ｂ、２０ｃ、２０ｄは、その他端が、室内膨張弁２１ａ、２１ｂ、２１ｃ、２１ｄを配設した室内側液分岐管２４ａ、２４ｂ、２４ｃ、２４ｄを介して液管７にそれぞれ接続される。
【００２９】
室内側高圧ガス分岐管２２ａ、２２ｂ、２２ｃ、２２ｄのそれぞれに、第１開閉弁２５ａ、２５ｂ、２５ｃ、２５ｄが配設される。また、室内側低圧ガス分岐管２３ａ、２３ｂ、２３ｃ、２３ｄのそれぞれに、第２開閉弁２６ａ、２６ｂ、２６ｃ、２６ｄが配設される。
【００３０】
第１開閉弁２５ａ、２５ｂ、２５ｃ、２５ｄと第２開閉弁２６ａ、２６ｂ、２６ｃ、２６ｄを備えて開閉弁ユニット２７ａ、２７ｂ、２７ｃ、２７ｄが構成される。第１開閉弁２５ａ、２５ｂ、２５ｃ、２５ｄと第２開閉弁２６ａ、２６ｂ、２６ｃ、２６ｄは、一方が開操作されたとき、他方が閉操作される。これにより、各室内熱交換器２０ａ、２０ｂ、２０ｃ、２０ｄの一端は、開閉弁ユニット２７ａ、２７ｂ、２７ｃ、２７ｄのそれぞれにより、ユニット間配管４の高圧ガス管５と低圧ガス管６とに択一に接続される。
【００３１】
室内ユニット２ａ、２ｂ、２ｃ、２ｄのそれぞれの運転が停止される場合は、室内膨張弁２１ａ、２１ｂ、２１ｃ、２１ｄのそれぞれが全閉操作される。
【００３２】
室内ユニット２ａ、２ｂ、２ｃ、２ｄには、室内制御装置２８ａ、２８ｂ、２８ｃ、２８ｄが備えられている。室内制御装置２８ａ、２８ｂ、２８ｃ、２８ｄは、室内膨張弁２１ａ、２１ｂ、２１ｃ、２１ｄ、開閉弁ユニット２７ａ、２７ｂ、２７ｃ、２７ｄの第１開閉弁２５ａ、２５ｂ、２５ｃ、２５ｄ及び第２開閉弁２６ａ、２６ｂ、２６ｃ、２６ｄ、室内ファン３０ａ、３０ｂ、３０ｃ、３０ｄ等を制御する。
【００３３】
室内ユニット２ａ、２ｂ、２ｃ、２ｄの室内制御装置２８ａ、２８ｂ、２８ｃ、２８ｄは、室内ユニット２ａ、２ｂ、２ｃ、２ｄを冷房運転若しくは暖房運転させる制御を行う。
【００３４】
具体的に、室内ユニット２ａ、２ｂ、２ｃ、２ｄの室内制御装置２８ａ、２８ｂ、２８ｃ、２８ｄは、室内ユニット２ａ、２ｂ、２ｃ、２ｄを冷房運転若しくは暖房運転させるべく、開閉弁ユニット２７ａ、２７ｂ、２７ｃ、２７ｄの第１開閉弁２５ａ、２５ｂ、２５ｃ、２５ｄと第２開閉弁２６ａ、２６ｂ、２６ｃ、２６ｄとを開閉操作する信号を開閉弁ユニット２７ａ、２７ｂ、２７ｃ、２７ｄへ出力し、更に、室内膨張弁２１ａ、２１ｂ、２１ｃ、２１ｄの開度等を制御する。
【００３５】
つまり、室内ユニット２ａ、２ｂ、２ｃ、２ｄのそれぞれにおいて暖房運転するときは、室内制御装置２８ａ、２８ｂ、２８ｃ、２８ｄによって、第１開閉弁２５ａ、２５ｂ、２５ｃ、２５ｄのそれぞれが開操作、第２開閉弁２６ａ、２６ｂ、２６ｃ、２６ｄのそれぞれが閉操作される。これによって、室内熱交換器２０ａ、２０ｂ、２０ｃ、２０ｄのそれぞれは凝縮器として機能する。
【００３６】
室内ユニット２ａ、２ｂ、２ｃ、２ｄのそれぞれにおいて冷房運転するときは、室内制御装置２８ａ、２８ｂ、２８ｃ、２８ｄによって、第１開閉弁２５ａ、２５ｂ、２５ｃ、２５ｄのそれぞれが閉操作、第２開閉弁２６ａ、２６ｂ、２６ｃ、２６ｄのそれぞれが開操作される。これによって、室内熱交換器２０ａ、２０ｂ、２０ｃ、２０ｄのそれぞれは蒸発器として機能する。
【００３７】
尚、これら室内ユニット２ａ、２ｂ、２ｃ、２ｄのうち、運転が停止している室内ユニットにおいては、冷房運転若しくは暖房運転させる制御が行われないことはいうまでもない。
【００３８】
室外ユニット１には室外制御装置１７が備えられている。この室外制御装置１７は、室外ユニット１内の圧縮機１０、室外膨張弁１８ａ、室外膨張弁１８ｂ、切換弁１５ａ及び１６ａ、切換弁１５ｂ及び１６ｂ、室外ファン３１等を制御する。室内制御装置２８ａ、２８ｂ、２８ｃ、２８ｄは、この室外制御装置１７に接続されている。
【００３９】
室外ユニット１は、室内ユニット２ａ、２ｂ、２ｃ、２ｄの空調要求負荷に応じて室外制御装置１７の制御の下で運転される。空調要求負荷とは、室内ユニット２ａ、２ｂ、２ｃ、２ｄの要求する空調負荷である。例えば、圧縮機１０は、空調要求負荷に応じて容量（能力）が制御され、室外熱交換器１１ａ、１１ｂは、室内ユニット２ａ、２ｂ、２ｃ、２ｄにおいて暖房要求負荷よりも冷房要求負荷が大きい場合、凝縮器として動作するように制御され、室内ユニット２ａ、２ｂ、２ｃ、２ｄにおいて暖房要求負荷よりも冷房要求負荷が小さい場合、蒸発器として動作するように制御される。具体的には、室外熱交換器１１ａ、１１ｂを凝縮器として動作させる場合、切換弁１５ａ、１５ｂが開操作され、切換弁１６ａ、１６ｂが閉操作され、室外膨張弁１８ａ、１８ｂの弁開度が制御される。また、室外熱交換器１１ａ、１１ｂを蒸発器として動作させる場合、切換弁１５ａ、１５ｂが閉操作され、切換弁１６ａ、１６ｂが開操作され、室外膨張弁１８ａ、１８ｂの弁開度が制御される。尚、室外熱交換器１１ａ、１１ｂは、空調要求負荷に応じて運転台数が決まる。室外熱交換器１１ａ、１１ｂのいずれかのみを動作させる場合、動作させない室外熱交換器１１ａ、１１ｂ側の室外膨張弁１８ａ、１８ｂのいずれかが全閉操作される。室内ユニット２ａ、２ｂ、２ｃ、２ｄにおいて負荷がバランスするときは、室外膨張弁１８ａ、１８ｂの全てが全閉操作される。
【００４０】
従って、複数台（例えば４台）の室内ユニット２ａ、２ｂ、２ｃ、２ｄを同時に冷暖房運転が可能であり、又は、これらの冷房運転と暖房運転とを混在して実施可能である。
【００４１】
次に、室外制御装置１７及び室内制御装置２８ａ、２８ｂ、２８ｃ、２８ｄの制御による空気調和装置５０の冷房運転と暖房運転について説明する。尚、室内膨張弁２１ａ、２１ｂ、２１ｃ、２１ｄは、暖房運転時は冷媒流量を調整し、冷房運転時は冷媒を減圧するものである。また、室外膨張弁１８ａ、１８ｂは、室内ユニット２ａ、２ｂ、２ｃ、２ｄの冷房要求負荷が暖房要求負荷よりも大きい場合、即ち、室外熱交換器１１ａ、１１ｂが凝縮器として動作する場合、冷媒流量を調整し、室内ユニット２ａ、２ｂ、２ｃ、２ｄの暖房要求負荷が冷房要求負荷よりも大きい場合、即ち、室外熱交換器１１ａ、１１ｂが蒸発器として動作する場合、冷媒を減圧するものである。
【００４２】
全室内ユニット２ａ、２ｂ、２ｃ、２ｄを同時に冷房する場合は、室外熱交換器１１ａ、１１ｂの一方の切換弁１５ａ、１５ｂを開くとともに他方の切換弁１６ａ、１６ｂを閉じ、且つ開閉弁ユニット２７ａ、２７ｂ、２７ｃ、２７ｄの第１開閉弁２５ａ、２５ｂ、２５ｃ、２５ｄを閉じるとともに、第２開閉弁２６ａ、２６ｂ、２６ｃ、２６ｄを開く。これにより、圧縮機１０から吐出された冷媒は、冷媒吐出管１３、切換弁１５ａ及び１５ｂ、室外熱交換器１１ａ及び１１ｂへと順次流れ、この室外熱交換器１１ａ、１１ｂで凝縮液化した後、液管７と室内側液分岐管２４ａ、２４ｂ、２４ｃ、２４ｄを経て各室ユニット２ａ、２ｂ、２ｃ、２ｄの室内膨張弁２１ａ、２１ｂ、２１ｃ、２１ｄに分配され、ここで減圧される。しかる後、冷媒は、各室内熱交換器２０ａ、２０ｂ、２０ｃ、２０ｄで蒸発気化した後、それぞれ第２開閉弁２６ａ、２６ｂ、２６ｃ、２６ｄを流れた後、低圧ガス管６、冷媒吸込管１４、アキュムレータ１２を順次経て圧縮機１０に吸入される。このように、蒸発器として機能する各室内熱交換器２０ａ、２０ｂ、２０ｃ、２０ｄの作用で全室内ユニット２ａ、２ｂ、２ｃ、２ｄが同時に冷房される。
【００４３】
逆に、全室内ユニット２ａ、２ｂ、２ｃ、２ｄを同時に暖房する場合には、室外熱交換器１１ａ、１１ｂの一方の切換弁１５ａ、１５ｂを閉じるとともに他方の切換弁１６ａ、１６ｂを開き、且つ開閉弁ユニット２７ａ、２７ｂ、２７ｃ、２７ｄの第１開閉弁２５ａ、２５ｂ、２５ｃ、２５ｄを開くとともに、第２開閉弁２６ａ、２６ｂ、２６ｃ、２６ｄを閉じる。これにより、圧縮機１０から吐出された冷媒は、冷媒吐出管１３、高圧ガス管５を順次経て室内側高圧ガス分岐管２２ａ、２２ｂ、２２ｃ、２２ｄに分配された後、第１開閉弁２５ａ、２５ｂ、２５ｃ、２５ｄ、室内熱交換器２０ａ、２０ｂ、２０ｃ、２０ｄへと流れ、ここでそれぞれ凝縮液化した後、室内側液分岐管２４ａ、２４ｂ、２４ｃ、２４ｄを経て液管７で合流される。しかる後、室外膨張弁１８ａ、１８ｂで減圧され室外熱交換器１１ａ、１１ｂで蒸発気化した後、切換弁１６ａ、１６ｂ、冷媒吸込管１４、アキュムレータ１２を順次経て圧縮機１０に吸入される。このように凝縮器として機能する各室内熱交換器２０ａ、２０ｂ、２０ｃ、２０ｄの作用で、全室内ユニット２ａ、２ｂ、２ｃ、２ｄが同時に暖房される。
【００４４】
また、例えば、室内ユニット２ａ及び２ｂを冷房し、室内ユニット２ｃ、２ｄを暖房する場合において、例えば、冷房要求負荷が暖房要求負荷よりも大きい場合について説明する。室外ユニット１の運転モードは、冷房運転モードである。このとき、室外熱交換器１１ａ、１１ｂの一方の切換弁１５ａ、１５ｂを開くとともに他方の切換弁１６ａ、１６ｂを閉じ、且つ、冷房する室内ユニット２ａ、２ｂに対応する開閉弁ユニット２７ａ、２７ｂの第１開閉弁２５ａ、２５ｂを閉じるとともに、第２開閉弁２６ａ、２６ｂを開き、且つ暖房する室内ユニット２ｃ、２ｄに対応する開閉弁ユニット２７ｃ、２７ｄの第１開閉弁２５ｃ、２５ｄを開くとともに、第２開閉弁２６ｃ、２６ｄを閉じる。すると、圧縮機１０から吐出された冷媒の一部が冷媒吐出管１３、切換弁１５ａ、１５ｂを順次経て室外熱交換器１１ａ、１１ｂに流れるとともに、残りの冷媒が高圧ガス管５を経て暖房する室内ユニット２ｃ、２ｄに対応する開閉弁ユニット２７ｃ、２７ｄの第１開閉弁２５ｃ、２５ｄ、室内熱交換器２０ｃ、２０ｄへと流れ、これらの室内熱交換器２０ｃ、２０ｄ及び室外熱交換器１１ａ、１１ｂで凝縮液化される。
【００４５】
そして、これら室内熱交換器２０ｃ、２０ｄ、室外熱交換器１１ａ、１１ｂで凝縮液化された冷媒は、液管７を経て室内ユニット２ａ、２ｂの室内膨張弁２１ａ、２１ｂで減圧された後、それぞれの室内熱交換器２０ａ、２０ｂで蒸発気化される。しかる後、冷媒は、第２開閉弁２６ａ、２６ｂを流れて低圧ガス管６で合流され、冷媒吸込管１４、アキュムレータ１２を順次経て圧縮機１０に吸入される。このように、凝縮器として機能する室内熱交換器２０ｃ、２０ｄの作用で室内ユニット２ｃ、２ｄが暖房され、蒸発器として機能する他の室内熱交換器２０ａ、２０ｂの作用で室内ユニット２ａ、２ｂがそれぞれ冷房される。
【００４６】
次に、例えば、室内ユニット２ａ及び２ｂを冷房し、室内ユニット２ｃ、２ｄを暖房する場合において、例えば、暖房要求負荷が冷房要求負荷よりも大きい場合について説明する。室外ユニット１の運転モードは、暖房運転モードである。このとき、室外熱交換器１１ａ、１１ｂの一方の切換弁１５ａ、１５ｂを閉じるとともに他方の切換弁１６ａ、１６ｂを開き、且つ、冷房する室内ユニット２ａ、２ｂに対応する開閉弁ユニット２７ａ、２７ｂの第１開閉弁２５ａ、２５ｂを閉じるとともに、第２開閉弁２６ａ、２６ｂを開き、且つ暖房する室内ユニット２ｃ、２ｄに対応する開閉弁ユニット２７ｃ、２７ｄの第１開閉弁２５ｃ、２５ｄを開くとともに、第２開閉弁２６ｃ、２６ｄを閉じる。すると、圧縮機１０から吐出された冷媒が冷媒吐出管１３、高圧ガス管５を順次経て第１開閉弁２５ｃ、２５ｄへと分配され、それぞれの室内熱交換器２０ｃ、２０ｄで凝縮液化される。そして、この液化された冷媒は、それぞれ室内膨張弁２１ｃ、２１ｄを経て液管７に流れる。この液管７中の液冷媒の一部が、室内膨張弁２１ａ、２１ｂで減圧された後に室内熱交換器２０ａ、２０ｂで、且つ、残りの液冷媒が室外膨張弁１８ａ、１８ｂで減圧された後に室外熱交換器１１ａ、１１ｂでそれぞれ蒸発気化され、冷媒吸込管１４、アキュムレータ１２を順次経て圧縮機１０に吸入される。このように、凝縮器として機能する室内熱交換器２０ｃ、２０ｄの作用で室内ユニット２ｃ、２ｄが暖房され、蒸発器として機能する他の室内熱交換器２０ａ、２０ｂの作用で室内ユニット２０ａ、２０ｂが冷房される。
【００４７】
ところで、室外ユニット１には、外気温度Ｔｏを検出する外気温度検出手段として外気温度センサ３２が備えられている。この外気温度センサ３２は、例えば、室外熱交換器１１の吸込側に設置される。そして、この外気温度センサ３２により検出した外気温度Ｔｏのデータは、室外制御装置１７に送信される。また、各室内ユニット２ａ、２ｂ、２ｃ、２ｄには、各室内ユニット２ａ、２ｂ、２ｃ、２ｄの空気の吸込温度Ｔｒを検出する吸込温度検出手段として吸込温度センサ３３ａ、３３ｂ、３３ｃ、３３ｄが室内熱交換器２０ａ、２０ｂ、２０ｃ、２０ｄの吸込側に備えられている。また、各室内ユニット２ａ、２ｂ、２ｃ、２ｄには、各室内ユニット２ａ、２ｂ、２ｃ、２ｄの空気の吹出温度Ｔｂを検出する吹出温度検出手段として吹出温度センサ３４ａ、３４ｂ、３４ｃ、３４ｄが備えられている。尚、吸込温度は、室内温度である。この吸込温度センサ３３ａ、３３ｂ、３３ｃ、３３ｄ及び吹出温度センサ３４ａ、３４ｂ、３４ｃ、３４ｄにより検出された吸込温度Ｔｒ及び吹出温度Ｔｂのそれぞれのデータは、室内制御装置２８ａ、２８ｂ、２８ｃ、２８ｄのそれぞれを介して室外制御装置１７に送信される。
【００４８】
室内ユニット２ａ、２ｂ、２ｃ、２ｄから吹き出す空気の吹出風速は、室内ファン３０ａ、３０ｂ、３０ｃ、３０ｄの回転数に対応している。吹出風速（即ち、室内ファン３０ａ、３０ｂ、３０ｃ、３０ｄの回転数）は、複数段階（例えば５段階）のステップに設定されている。そして、吹出風速のレベルが１から５まで順次規定される。１が最小風速レベルであり、５が最大風速レベルである。
【００４９】
各室内ユニット２ａ、２ｂ、２ｃ、２ｄには、図示は省略するが、各室内ユニット２ａ、２ｂ、２ｃ、２ｄの運転モード（冷房又は暖房）を設定する運転モード設定手段と、室温を設定する室温設定手段と、運転の開始又は運転の停止を設定する運転設定手段と、吹出風速レベルを設定する風速設定手段とが設けられている。以下、室温設定手段により設定される室温を室内設定温度Ｔｓという。運転モード設定手段、室温設定手段、運転設定手段及び風速設定手段は、例えば、図示しないリモートコントローラである。このリモートコントローラ、即ち、運転モード設定手段、室温設定手段、運転設定手段、風速設定手段のそれぞれにより、運転モード（冷房又は暖房）、室内設定温度Ｔｓ、運転の開始又は運転の停止、吹出風速レベルのそれぞれが設定されたときに送出される信号は、室内制御装置２８ａ、２８ｂ、２８ｃ、２８ｄに送信され、また、この室内制御装置２８ａ、２８ｂ、２８ｃ、２８ｄを介して室外制御装置１７に送信されて設定に応じて各室内ユニット２ａ、２ｂ、２ｃ、２ｄ及び室外ユニット１が制御される。尚、風速設定手段が室内制御装置２８ａ、２８ｂ、２８ｃ、２８ｄに含まれ、自動的に吹出風速レベルが設定される場合であってもよい。
【００５０】
次に、室内ユニット２ａ、２ｂが冷房運転、室内ユニット２ｃ、２ｄが暖房運転する場合を一例に、負荷計算に基づく空気調和装置５０の運転制御について説明する。尚、以下に説明する負荷計算は室外制御装置１７において行われるものとする。
【００５１】
まず、各室内ユニット２ａ、２ｂ、２ｃ、２ｄの吸込温度Ｔｒと室内設定温度Ｔｓとの差温ΔＴ（＝｜Ｔｒ−Ｔｓ｜）と、各室内ユニット２ａ、２ｂ、２ｃ、２ｄの基本能力Ｗとに基づいて室内ユニット２ａ、２ｂ、２ｃ、２ｄの空調要求負荷が算出される（空調要求負荷算出手段）。
【００５２】
この空調要求負荷算出手段として、冷房運転される各室内ユニット２ａ、２ｂの吸込温度Ｔｒと室内設定温度Ｔｓとの差温ΔＴ（＝｜Ｔｒ−Ｔｓ｜）と、冷房運転される各室内ユニット２ａ、２ｂの基本能力Ｗとに基づいて室内ユニット２ａ、２ｂの冷房要求負荷が算出される（冷房要求負荷算出手段）。また、この空調要求負荷算出手段として、暖房運転される各室内ユニット２ｃ、２ｄの吸込温度Ｔｒと室内設定温度Ｔｓとの差温ΔＴ（＝｜Ｔｒ−Ｔｓ｜）と、暖房運転される各室内ユニット２ｃ、２ｄの基本能力Ｗとに基づいて室内ユニット２ｃ、２ｄの暖房要求負荷が算出される（暖房要求負荷算出手段）。
【００５３】
尚、この空調要求負荷算出手段において、空調要求負荷（冷房要求負荷、暖房要求負荷）は、各室内ユニット２ａ、２ｂ、２ｃ、２ｄ毎に算出される。
【００５４】
上記の冷房要求負荷算出手段として、冷房運転される各室内ユニット２ａ、２ｂの基本能力Ｗに、冷房運転される各室内ユニット２ａ、２ｂの吸込温度Ｔｒと室内設定温度Ｔｓとの差温ΔＴ（＝｜Ｔｒ−Ｔｓ｜）がそれぞれ乗じられる。これによって、各室内ユニット２ａ、２ｂの冷房要求負荷Ｌｃａ、Ｌｃｂ（空調要求負荷）が算出される。次に、各室内ユニット２ａ、２ｂの冷房要求負荷Ｌｃａ、Ｌｃｂの総和ΣＬｃが算出される。この総和ΣＬｃが、室内ユニット２ａ、２ｂ全体の冷房要求負荷である。尚、この実施の形態における冷房要求負荷Ｌｃａ、Ｌｃｂは、負荷の大きさを表す係数である。
【００５５】
また、上記の暖房要求負荷算出手段として、暖房運転される各室内ユニット２ｃ、２ｄの基本能力Ｗに、暖房運転される各室内ユニット２ｃ、２ｄの吸込温度Ｔｒと室内設定温度Ｔｓとの差温ΔＴ（＝｜Ｔｒ−Ｔｓ｜）がそれぞれ乗じられる。これによって、各室内ユニット２ｃ、２ｄの暖房要求負荷Ｌｈｃ、Ｌｈｄ（空調要求負荷）が算出される。次に、各室内ユニット２ｃ、２ｄの暖房要求負荷Ｌｈｃ、Ｌｈｄの総和ΣＬｈが算出される。この総和ΣＬｈが、室内ユニット２ｃ、２ｄ全体の暖房要求負荷である。尚、この実施の形態における暖房要求負荷Ｌｈｃ、Ｌｈｄは、負荷の大きさを表す係数である。
【００５６】
そして、各室内ユニットの要求する空調要求負荷に基づいて、圧縮機１０の容量（能力）が制御されるとともに、室外熱交換器１１ａ、１１ｂの熱交換能力が制御される（制御手段）。即ち、空調要求負荷算出手段により算出された空調要求負荷に基づいて、圧縮機１０の容量（能力）が制御されるとともに、室外熱交換器１１ａ、１１ｂの熱交換能力が制御される。
【００５７】
この制御手段として、算出された空調要求負荷（冷房要求負荷ΣＬｃ、暖房要求負荷ΣＬｈ）に基づいて、圧縮機１０の必要負荷（以下、「圧縮機必要負荷」という。）が算出される（圧縮機必要負荷算出手段）。具体的には、冷房要求負荷ΣＬｃと暖房要求負荷ΣＬｈとの内、いずれか大きい方の空調要求負荷が圧縮機必要負荷Ｌｃｏとして算出される。そして、空調要求負荷（冷房要求負荷ΣＬｃ、暖房要求負荷ΣＬｈ）に基づいて（即ち、圧縮機必要負荷Ｌｃｏに応じて）圧縮機１０の容量（能力）が制御される（圧縮機容量制御手段）。
【００５８】
具体的には、圧縮機必要負荷Ｌｃｏに応じて圧縮機１０の回転数（図示しないエンジンの回転数）が制御される。室外制御装置１７には、圧縮機必要負荷Ｌｃｏに対応する圧縮機１０の回転数（図示しないエンジンの回転数）が記憶されている。そして、算出された圧縮機必要負荷Ｌｃｏに対応する圧縮機１０の回転数（図示しないエンジンの回転数）がこの室外制御装置１７により決定される。そして、この決定された回転数となるように圧縮機１０の回転数（図示しないエンジンの回転数）が制御される。
【００５９】
また、制御手段として、空調要求負荷（冷房要求負荷ΣＬｃ、暖房要求負荷ΣＬｈ）に基づいて、室外熱交換器１１ａ、１１ｂの必要負荷（以下、「室外必要負荷」という。）が算出される（室外必要負荷算出手段）。具体的には、冷房要求負荷ΣＬｃと暖房要求負荷ΣＬｈとの差｜ΣＬｃ−ΣＬｈ｜が室外必要負荷Ｌｏとして算出される。そして、室外必要負荷Ｌｏに応じて室外熱交換器１１ａ、１１ｂの熱交換能力が制御される（熱交換能力制御手段）。
【００６０】
例えば、ΣＬｃ＞ΣＬｈである場合、室内ユニット２ａ、２ｂ、２ｃ、２ｄ側（室内熱交換器２０ａ、２０ｂ、２０ｃ、２０ｄ）は全体として冷房要求負荷が大きいので、室外熱交換器１１ａ、１１ｂは、その差（ΣＬｃ−ΣＬｈ）の負荷に基づいて凝縮器として運転される。また、ΣＬｃ＜ΣＬｈである場合、室内ユニット２ａ、２ｂ、２ｃ、２ｄ側（室内熱交換器２０ａ、２０ｂ、２０ｃ、２０ｄ）は全体として暖房要求負荷が大きいので、室外熱交換器１１ａ、１１ｂは、その差（ΣＬｈ−ΣＬｃ）の負荷に基づいて蒸発器として運転される。
【００６１】
具体的には、室外必要負荷Ｌｏに基づいて、動作させる室外熱交換器１１ａ、１１ｂの台数、室外熱交換器１１ａ、１１ｂへの冷媒流量、室外ファン３１の風量が制御されることにより、室外熱交換器１１ａ、１１ｂの熱交換能力が制御される。即ち、室外必要負荷Ｌｏに基づいて室外膨張弁１８ａ、１８ｂの弁開度及び室外ファン３１の回転数が制御されることにより室外熱交換器１１ａ、１１ｂの熱交換能力が制御される。
【００６２】
尚、室外制御装置１７には、室外必要負荷Ｌｏに対応する室外膨張弁１８ａ、１８ｂの弁開度及び室外ファン３１の回転数が記憶されている。そして、算出された室外必要負荷Ｌｏに対応する室外膨張弁１８ａ、１８ｂの弁開度及び室外ファン３１の回転数がこの室外制御装置１７により決定される。そして、この決定された弁開度及び回転数となるように室外膨張弁１８ａ、１８ｂの弁開度及び室外ファン３１の回転数が制御される。
【００６３】
これらの制御によって、各室内ユニット２ａ、２ｂ、２ｃ、２ｄの吸込温度Ｔｒが室内設定温度Ｔｓに近づけられる。
【００６４】
このような負荷計算による制御によれば、室内ユニット２ａ、２ｂの冷房運転において空気の吹出温度Ｔｂが上昇して冷風感が得られない場合や室内ユニット２ｃ、２ｄの暖房運転において空気の吹出温度Ｔｂが低下して温風感が得られない場合がある。従って、冷風感や温風感を得るために空調要求負荷（冷房要求負荷Ｌｃａ、Ｌｃｂ、暖房要求負荷Ｌｈｃ、Ｌｈｄ）を補正する必要が生じる。
【００６５】
また、このような負荷計算による制御によれば、室内ユニット２ａ、２ｂ、２ｃ、２ｄにおいて空気の吹出風速（即ち、室内ファン３０ａ、３０ｂ、３０ｃ、３０ｄの回転数）が下げられたとき、室内ユニット２ａ、２ｂの冷房運転において空気の吹出温度Ｔｂが過剰に低くなる場合があり、室内ユニット２ｃ、２ｄの暖房運転において空気の吹出温度Ｔｂが過剰に高くなる場合がある。従って、空気の吹出温度Ｔｂが過剰に低く又は高くなるのを防止するために空調要求負荷（冷房要求負荷Ｌｃａ、Ｌｃｂ、暖房要求負荷Ｌｈｃ、Ｌｈｄ）を補正する必要が生じる。
【００６６】
また、このような負荷計算による制御によれば、同じ値の室外必要負荷Ｌｏで室外熱交換器１１ａ、１１ｂの熱交換能力（即ち、室外膨張弁１８ａ、１８ｂの弁開度、室外ファン３１の回転数）を制御しても、外気温度Ｔｏの変化で空調能力（冷房能力又は暖房能力）、即ち、室外熱交換器１１ａ、１１ｂの熱交換能力が変化する。
【００６７】
つまり、冷房要求負荷ΣＬｃが暖房要求負荷ΣＬｈよりも大きい場合（即ち、室外熱交換器１１ａ、１１ｂが凝縮器として運転される場合）について説明すると、所定外気温度（冷房標準外気温度Ｔ１）を基準として、外気温度Ｔｏが冷房標準外気温度Ｔ１よりも低下する場合、冷房能力（即ち、室外熱交換器１１ａ、１１ｂの凝縮能力）が上昇する。逆に、外気温度Ｔｏが冷房標準外気温度Ｔ１よりも上昇する場合、冷房能力（即ち、室外熱交換器１１ａ、１１ｂの凝縮能力）が低下する。
【００６８】
また、暖房要求負荷ΣＬｈが冷房要求負荷ΣＬｃよりも大きい場合（即ち、室外熱交換器１１ａ、１１ｂが蒸発器として運転される場合）について説明すると、所定外気温度（暖房標準外気温度Ｔ２）を基準として、外気温度Ｔｏが暖房標準外気温度Ｔ２よりも低下する場合、暖房能力（即ち、室外熱交換器１１ａ、１１ｂの蒸発能力）が低下する。逆に、外気温度Ｔｏが暖房標準外気温度Ｔ２よりも上昇する場合、暖房能力（即ち、室外熱交換器１１ａ、１１ｂの蒸発能力）が上昇する。
【００６９】
従って、要求される空調能力に近づけるには、外気温度Ｔｏに応じて室外必要負荷Ｌｏを補正する必要が生じる。つまり、外気温度Ｔｏが変化することによって室外熱交換器１１ａ、１１ｂの熱交換能力が変化するので、外気温度Ｔｏに応じて室外必要負荷Ｌｏを補正して、室外熱交換器１１ａ、１１ｂの熱交換能力（室外膨張弁１８ａ、１８ｂの弁開度及び室外ファン３１の回転数）を補正する必要が生じる。
【００７０】
尚、所定外気温度（室外熱交換器１１ａ、１１ｂが凝縮器として動作する場合の冷房標準外気温度Ｔ１及び室外熱交換器１１ａ、１１ｂが蒸発器として動作する場合の暖房標準外気温度Ｔ２）は、室外必要負荷Ｌｏを補正せずとも要求される空調能力で運転されるときの外気温度Ｔｏである。以下、所定外気温度（冷房標準外気温度Ｔ１、暖房標準外気温度Ｔ２）のときの空調能力を定格能力とする。
【００７１】
本実施の形態における空気調和装置５０では、室内ユニット２ａ、２ｂ、２ｃ、２ｄの目標吹出温度Ｔｓｂが設定される。この目標吹出温度Ｔｓｂは、暖房運転時と冷房運転時とで異なる値に設定される。暖房運転時の目標吹出温度Ｔｓｂは、温風感が得られる温度（例えば、４５℃）に設定され、冷房運転時の目標吹出温度は、冷風感が得られる温度（例えば、１０℃）に設定される。
【００７２】
まず、空調要求負荷が補正される場合について説明する。
【００７３】
各室内ユニット２ａ、２ｂ、２ｃ、２ｄの吹出温度Ｔｂと目標吹出温度Ｔｓｂとに差が生じる場合、各室内ユニット２ａ、２ｂ、２ｃ、２ｄの吹出温度Ｔｂを目標吹出温度Ｔｓｂに近づけるべく、空調要求負荷（冷房要求負荷Ｌｃａ、Ｌｃｂ及び暖房要求負荷Ｌｈｃ、Ｌｈｄ）が補正される（第１補正手段）。具体的には、各室内ユニット２ａ、２ｂ、２ｃ、２ｄの吹出温度Ｔｂと目標吹出温度Ｔｓｂとに差が生じる場合、各室内ユニット２ａ、２ｂ、２ｃ、２ｄの吹出温度Ｔｂを目標吹出温度Ｔｓｂに近づけるべく第１補正係数が演算され、この第１補正係数を用いて空調要求負荷（冷房要求負荷Ｌｃａ、Ｌｃｂ及び暖房要求負荷Ｌｈｃ、Ｌｈｄ）が補正される。この第１補正係数を用いて空調要求負荷（冷房要求負荷Ｌｃａ、Ｌｃｂ及び暖房要求負荷Ｌｈｃ、Ｌｈｄ）が補正されることにより、吹出温度Ｔｂは目標吹出温度Ｔｓｂに近づけられる。
【００７４】
この第１補正手段として、各室内ユニット２ａ、２ｂ、２ｃ、２ｄの目標吹出温度Ｔｓｂと吹出温度Ｔｂとの差温ΔＴｂ（＝｜Ｔｓｂ−Ｔｂ｜）に基づいて、算出された空調要求負荷Ｌｃａ、Ｌｃｂ、Ｌｈｃ、Ｌｈｄが補正される。例えば、各室内ユニット２ａ、２ｂ、２ｃ、２ｄの目標吹出温度Ｔｓｂと吹出温度Ｔｂとの差温ΔＴｂから、所定の計算式により第１補正係数として吹出温度補正係数Ｑｂが求められる。この吹出温度補正係数Ｑｂは、各室内ユニット２ａ、２ｂ、２ｃ、２ｄ毎に求められる。そして、各吹出温度補正係数Ｑｂが各室内ユニット２ａ、２ｂ、２ｃ、２ｄの空調要求負荷Ｌｃａ、Ｌｃｂ、Ｌｈｃ、Ｌｈｄに乗じられることにより、各室内ユニット２ａ、２ｂ、２ｃ、２ｄの空調要求負荷Ｌｃａ、Ｌｃｂ、Ｌｈｃ、Ｌｈｄが補正される。この所定の計算式は、例えば、実験により求められる。この空調要求負荷Ｌｃａ、Ｌｃｂ、Ｌｈｃ、Ｌｈｄが補正されることにより、圧縮機必要負荷Ｌｃｏが補正され、この補正された圧縮機必要負荷Ｌｃｏに基づいて圧縮機１０の容量（能力）が制御される。また、空調要求負荷Ｌｃａ、Ｌｃｂ、Ｌｈｃ、Ｌｈｄが補正されることにより、室外必要負荷Ｌｏが補正され、この補正された室外必要負荷Ｌｏに基づいて室外熱交換器１１ａ、１１ｂの熱交換能力が制御される。
【００７５】
この吹出温度補正係数Ｑｂを求める場合について説明する。
【００７６】
【表１】
0004179783.tif 000002
【００７７】
この吹出温度補正係数Ｑｂは、上述したように、各室内ユニット２ａ、２ｂ、２ｃ、２ｄの目標吹出温度Ｔｓｂと吹出温度Ｔｂとの差温ΔＴｂから、所定の計算式により求められる。例えば、表１に示すように、冷房運転される室内ユニット２ａ、２ｂの目標吹出温度Ｔｓｂは、冷風感が得られる温度（例えば、１０℃）に設定され、暖房運転される室内ユニット２ｃ、２ｄの目標吹出温度Ｔｓｂは、温風感が得られる温度（例えば、４５℃）に設定されるものとする。目標吹出温度Ｔｓｂと吹出温度Ｔｂとの差温ΔＴｂが０のとき、即ち、吹出温度Ｔｂが目標吹出温度Ｔｓｂであるとき、吹出温度補正係数Ｑｂは、吹出温度Ｔｂが目標吹出温度Ｔｓｂに達しているので、１となるように所定の計算式により求められる。そして、差温ΔＴｂが大きければ大きいほど、吹出温度補正係数Ｑｂが大きくなるように所定の計算式により求められる。
【００７８】
即ち、差温ΔＴｂが大きいほど吹出温度Ｔｂが目標吹出温度Ｔｓｂから離れていることを示しているから、差温ΔＴｂが大きいほど空調要求負荷Ｌｃａ、Ｌｃｂ、Ｌｈｃ、Ｌｈｄが大きくなるよう補正される。この補正された空調要求負荷Ｌｃａ、Ｌｃｂ、Ｌｈｃ、Ｌｈｄに基づいて圧縮機１０の容量（能力）が制御され、室外熱交換器１１ａ、１１ｂの熱交換能力が制御されるので、吹出温度Ｔｂが目標吹出温度Ｔｓｂに近づけられ、温風感又は冷風感が得られる。
【００７９】
また、第１補正手段として、室内ファン３０ａ、３０ｂ、３０ｃ、３０ｄの回転数に基づいて、算出された空調要求負荷Ｌｃａ、Ｌｃｂ、Ｌｈｃ、Ｌｈｄが補正される。例えば、吹出風速レベルに対応して第１補正係数として吹出風速補正係数Ｑｖが規定されているテーブルにより、吹出風速レベルに対応した吹出風速補正係数Ｑｖが求められる。そして、各室内ユニット２ａ、２ｂ、２ｃ、２ｄの空調要求負荷Ｌｃａ、Ｌｃｂ、Ｌｈｃ、Ｌｈｄに各吹出風速補正係数Ｑｖが乗じられることにより補正される。この吹出風速レベルに対応して吹出風速補正係数Ｑｖが規定されているテーブルは、例えば、実験により求められる。この空調要求負荷Ｌｃａ、Ｌｃｂ、Ｌｈｃ、Ｌｈｄが補正されることにより、圧縮機必要負荷Ｌｃｏが補正され、この補正された圧縮機必要負荷Ｌｃｏに基づいて圧縮機１０の容量（能力）が制御される。また、空調要求負荷Ｌｃａ、Ｌｃｂ、Ｌｈｃ、Ｌｈｄが補正されることにより、室外必要負荷Ｌｏが補正され、この補正された室外必要負荷Ｌｏに基づいて室外熱交換器１１ａ、１１ｂの熱交換能力が制御される。
【００８０】
この吹出風速補正係数Ｑｖを求める場合について説明する。この吹出風速補正係数Ｑｖは、上述したように、室内ファン３０ａ、３０ｂ、３０ｃ、３０ｄの回転数、即ち、吹出風速レベルから、吹出風速レベルに対応して吹出風速補正係数Ｑｖが規定されているテーブル（表２）により求められる。
【００８１】
【表２】
0004179783.tif 000003
【００８２】
このテーブル（表２）では、吹出風速レベルが低くなればなるほど、吹出風速補正係数Ｑｖが小さくなるように規定されている。そして、例えば、吹出風速レベル５が基準、即ち、吹出風速補正係数Ｑｖが１．０に規定されている。従って、吹出風速が低下したとき、吹出風速補正係数Ｑｖが小さくなるので、この吹出風速補正係数Ｑｖにより空調要求負荷Ｌｃａ、Ｌｃｂ、Ｌｈｃ、Ｌｈｄが小さくなるよう補正される。この補正された空調要求負荷Ｌｃａ、Ｌｃｂ、Ｌｈｃ、Ｌｈｄに基づいて圧縮機１０の容量（能力）が制御されるとともに、室外熱交換器１１ａ、１１ｂの熱交換能力が制御されるので、冷房運転される室内ユニット２ａ、２ｂでは、空気の吹出温度Ｔｂが目標吹出温度Ｔｓｂを超えて過剰に低くなるのが防止され、また、暖房運転される室内ユニット２ｃ、２ｄでは、空気の吹出温度Ｔｂが目標吹出温度Ｔｓｂを超えて過剰に高くなるのが防止されて、各室内ユニット２ａ、２ｂ、２ｃ、２ｄの吹出温度Ｔｂが目標吹出温度Ｔｓｂに近づけられる。
【００８３】
次に、室外必要負荷Ｌｏが補正される場合について説明する。
【００８４】
外気温度センサ３２（外気温度検出手段）により検出される外気温度Ｔｏと、基準となる所定外気温度とに差が生じる場合、要求される空調能力に近づけるべく、外気温度Ｔｏに応じて室外必要負荷Ｌｏが補正される（第２補正手段）。この第２補正手段として、外気温度センサ３２（外気温度検出手段）により検出される外気温度Ｔｏと、基準となる所定外気温度とに差が生じる場合、外気温度Ｔｏに応じて第２補正係数が演算され、この第２補正係数を用いて室外必要負荷Ｌｏが補正される。
【００８５】
具体的には、まず、外気温度Ｔｏに応じて第２補正係数として外気温度補正係数Ｑｘが演算される。この外気温度補正係数Ｑｘを演算する手段として、まず、外気温度センサ３２により検出された外気温度Ｔｏに対応する空調能力（冷房能力又は暖房能力）が求められる。このとき、外気温度に対応する空調能力の線図（図示せず）を基に、外気温度センサ３２により検出された外気温度Ｔｏに対応する空調能力（冷房能力又は暖房能力）が求められる。この線図は、室外制御装置１７に記憶されている。この線図（図示せず）により求められた空調能力（冷房能力又は暖房能力）が、定格能力（所定外気温度のときの空調能力）のＸ％、即ち、要求される空調能力のＸ％であるとすれば、外気温度補正係数Ｑｘが、１００／Ｘで演算される。
【００８６】
そして、冷房要求負荷ΣＬｃと暖房要求負荷ΣＬｈとの差｜ΣＬｃ−ΣＬｈ｜（室外必要負荷Ｌｏ）において、いずれか大きい方の空調要求負荷（冷房要求負荷ΣＬｃ又は暖房要求負荷ΣＬｈ）に外気温度補正係数Ｑｘを乗じることで室外必要負荷Ｌｏが補正される。これによって、室外熱交換器１１ａ、１１ｂの熱交換能力が補正され、空調能力が補正され、要求された空調能力に近づけられる。
【００８７】
つまり、線図（図示せず）により求められた空調能力が定格能力以下であれば、外気温度補正係数Ｑｘが１以上となるよう演算され、線図（図示せず）により求められた空調能力が定格能力以上であれば、外気温度補正係数Ｑｘが１以下となるよう演算される。これによって、求められた空調能力が定格能力よりも大であれば、室外熱交換器１１ａ、１１ｂの熱交換能力が増大するように補正されて、空調能力が要求される空調能力に近づけられる。また、求められた空調能力が定格能力よりも小であれば、室外熱交換器１１ａ、１１ｂの熱交換能力が低下するようにするように補正されて、空調能力が要求される空調能力に近づけられる。
【００８８】
ここで、外気温度補正係数Ｑｘは、冷房要求負荷ΣＬｃが暖房要求負荷ΣＬｈよりも大きければ、冷房能力に基づいて外気温度補正係数Ｑｘが演算され、暖房要求負荷ΣＬｈが冷房要求負荷ΣＬｃよりも大きければ、暖房能力に基づいて外気温度補正係数Ｑｘが演算される。
【００８９】
例えば、冷房運転時の定格能力条件としての冷房標準外気温度Ｔ１は３５℃であり、暖房運転時の定格能力条件としての暖房標準外気温度Ｔ２は７℃であるとする。そして、室外熱交換器１１ａ、１１ｂが凝縮器として運転される場合、即ち、冷房要求負荷ΣＬｃが暖房要求負荷ΣＬｈよりも大きい場合について説明する。例えば、外気温度Ｔｏが１５℃であるとして、この外気温度Ｔｏ（１５℃）に対応する冷房能力が線図（図示せず）により求められる。この冷房能力が、定格能力（冷房標準外気温度Ｔ１のときの冷房能力）の１１０％である場合、即ち、要求される冷房能力の１１０％である場合、室外必要負荷Ｌｏの算出において、まず、外気温度補正係数Ｑｘとして１００／１１０が求められ、この外気温度補正係数Ｑｘが冷房要求負荷ΣＬｃに乗じられる。さらに暖房運転される室内ユニット２ｃ、２ｄの暖房要求負荷ΣＬｈが減じられる。
【００９０】
つまり、冷房要求負荷ΣＬｃが暖房要求負荷ΣＬｈよりも大きい場合、室外必要負荷Ｌｏは、｜（ΣＬｃ）×Ｑｘ−ΣＬｈ｜で求められる。この室外必要負荷Ｌｏに基づいて室外熱交換器１１ａ、１１ｂの熱交換能力が制御される。これによって、外気温度Ｔｏと基準となる所定外気温度（冷房標準外気温度Ｔ１）とに差が生じる場合、即ち、外気温度Ｔｏが変化して空調能力（冷房能力）が変化する場合、外気温度Ｔｏに基づいて外気温度補正係数Ｑｘが演算され、この外気温度補正係数Ｑｘを用いて室外必要負荷Ｌｏが補正されることから、室外熱交換器１１ａ、１１ｂの熱交換能力が補正され、要求される空調能力（冷房能力）に近づけられる。
【００９１】
また、室外熱交換器１１ａ、１１ｂが蒸発器として運転される場合、即ち、暖房要求負荷ΣＬｈが冷房要求負荷ΣＬｃよりも大きい場合について説明する。例えば、外気温度Ｔｏが１５℃であるとして、この外気温度Ｔｏ（１５℃）に対応する暖房能力が線図（図示せず）により求められる。この暖房能力が、定格能力（暖房標準外気温度Ｔ２のときの暖房能力）の１１５％である場合、即ち、要求される暖房能力の１１５％である場合、室外必要負荷Ｌｏの算出において、まず、外気温度補正係数Ｑｘとして１００／１１５が求められ、この外気温度補正係数Ｑｘが暖房要求負荷ΣＬｈに乗じられる。さらに冷房運転される室内ユニット２ａ、２ｂの冷房要求負荷ΣＬｃが減じられる。
【００９２】
つまり、暖房要求負荷ΣＬｈが冷房要求負荷ΣＬｃよりも大きい場合、室外必要負荷Ｌｏは、｜ΣＬｃ−（ΣＬｈ）×Ｑｘ｜で求められる。この室外必要負荷Ｌｏに基づいて室外熱交換器１１ａ、１１ｂの熱交換能力が制御される。これによって、外気温度Ｔｏと基準となる所定外気温度（暖房標準外気温度Ｔ２）とに差が生じる場合、即ち、外気温度Ｔｏが変化して空調能力（暖房能力）が変化する場合、外気温度Ｔｏに基づいて外気温度補正係数Ｑｘが演算され、この外気温度補正係数Ｑｘを用いて室外必要負荷Ｌｏが補正されることから、室外熱交換器１１ａ、１１ｂの熱交換能力が補正され、要求される空調能力（暖房能力）に近づけられる。
【００９３】
次に、これら負荷計算の一例について説明する。
【００９４】
【表３】
0004179783.tif 000004
【００９５】
表３は、空気調和装置５０を運転したときの諸条件（運転モード、基本能力Ｗ、吸込温度Ｔｒ、室内設定温度Ｔｓ、差温ΔＴ、吹出温度Ｔｂ、吹出風速レベル、外気温度Ｔｏ）の一例を示すものである。この表３における条件の下、表１に示す吹出温度補正係数Ｑｂ及び表２に示す吹出風速補正係数Ｑｖを参照して負荷計算する。
【００９６】
冷房要求負荷ΣＬｃは、
冷房要求負荷ΣＬｃ＝Ｌｃａ＋Ｌｃｂ＝（１馬力／１０馬力×３℃（ΔＴ）×１．２（Ｑｂ）×０．６（Ｑｖ））＋（５馬力／１０馬力×５℃（ΔＴ）×１．５（Ｑｂ）×０．８（Ｑｖ））≒３．２２
である。
【００９７】
暖房要求負荷ΣＬｈは、
暖房要求負荷ΣＬｈ＝Ｌｈｃ＋Ｌｈｄ＝（２馬力／１０馬力×４℃（ΔＴ）×１．５（Ｑｂ）×１．０（Ｑｖ））＋（５馬力／１０馬力×１℃（ΔＴ）×１（Ｑｂ）×０．６（Ｑｖ））＝１．５
である。
【００９８】
ここで、各室内ユニット２ａ、２ｂ、２ｃ、２ｄの基本能力を室外ユニット１の基本能力（１０馬力）で割ったのは、室外ユニット１に対する各室内ユニット２ａ、２ｂ、２ｃ、２ｄの能力の割合を算出するためである。尚、本実施の形態における負荷計算で算出される各室内ユニット２ａ、２ｂ、２ｃ、２ｄの空調要求負荷Ｌｃａ、Ｌｃｂ、Ｌｈｃ、Ｌｈｄは、負荷の大きさを表す係数であるので、各室内ユニット２ａ、２ｂ、２ｃ、２ｄの基本能力を室外ユニット１の基本能力（１０馬力）で割るのことは、省略可能である。
【００９９】
次に、冷房要求負荷ΣＬｃ＞暖房要求負荷ΣＬｈであるので、圧縮機必要負荷Ｌｃｏは、
圧縮機必要負荷Ｌｃｏ＝冷房要求負荷ΣＬｃ≒３．２２
である。従って、圧縮機１０は、３．２２の負荷に相当する容量（能力）で運転される。この補正によって、室内ユニット２ａ、２ｂでは、冷風感が得られる温度（例えば、１０℃）の空気が吹き出され、室内ユニット２ｃ、２ｄでは、温風感が得られる温度（例えば、４５℃）の空気が吹き出される。
【０１００】
次に、冷房要求負荷ΣＬｃ＞暖房要求負荷ΣＬｈであり、外気温度Ｔｏが１５℃であるので、この外気温度（１５℃）のときは、１１０％の冷房能力が出る。従って、外気温度補正係数Ｑｘは、上記の例のように、１００／１１０で求められ、室外必要負荷Ｌｏは、
室外必要負荷Ｌｏ＝｜（ΣＬｃ）×Ｑｘ−ΣＬｈ｜＝｜３．２２×（１００／１１０）−１．５｜≒１．４３
となる。従って、冷房要求負荷ΣＬｃ＞暖房要求負荷ΣＬｈであるので、室外熱交換器１１ａ、１１ｂは、１．４３の負荷に基づいて凝縮器として運転される。この補正によって、要求される冷房能力に近づけられる。
【０１０１】
本実施の形態によれば、各室内ユニット２ａ、２ｂ、２ｃ、２ｄの吸込温度Ｔｒと室内設定温度Ｔｓとの差温ΔＴ（＝｜Ｔｒ−Ｔｓ｜）と、各室内ユニット２ａ、２ｂ、２ｃ、２ｄの基本能力Ｗとに基づいて各室内ユニット２ａ、２ｂ、２ｃ、２ｄ毎に空調要求負荷（冷房要求負荷Ｌｃａ、Ｌｃｂ及び暖房要求負荷Ｌｈｃ、Ｌｈｄ）が算出されることから、例えば、冷房運転される各室内ユニットの基本能力の総和に、冷房運転される各室内ユニットの吸込温度と室内設定温度との差温の平均を乗じて室内ユニット全体の冷房要求負荷を算出するとともに、暖房運転される各室内ユニットの基本能力の総和に、暖房運転される各室内ユニットの吸込温度と室内設定温度との差温の平均を乗じて室内ユニット全体の暖房要求負荷を算出する場合によっても室内ユニット全体の冷房要求負荷及び室内ユニット全体の暖房要求負荷が算出されるが、この場合と比べて、室内ユニット２ａ、２ｂ全体の冷房要求負荷ΣＬｃ及び室内ユニット２ｃ、２ｄ全体の暖房要求負荷ΣＬｈの誤差が小さくなり、圧縮機必要負荷Ｌｃｏ及び室外必要負荷Ｌｏの正確さが向上するので、空気調和装置５０の冷凍サイクルにおける各機器の耐久性を向上させることができ、空気調和装置５０の空調性を向上させることができ、空気調和装置５０の運転の安定性を向上させることができる。
【０１０２】
また、本実施の形態によれば、各室内ユニット２ａ、２ｂ、２ｃ、２ｄの吹出温度Ｔｂと目標吹出温度Ｔｓｂとに差が生じる場合、各室内ユニット２ａ、２ｂ、２ｃ、２ｄの吹出温度Ｔｂを目標吹出温度Ｔｓｂに近づけるべく第１補正係数が演算され、この第１補正係数を用いて空調要求負荷（冷房要求負荷Ｌｃａ、Ｌｃｂ及び暖房要求負荷Ｌｈｃ、Ｌｈｄ）が補正されることから、負荷の計算の正確さが向上するので空気調和装置５０の冷凍サイクルにおける各機器の耐久性を向上させることができ、また、圧縮機１０の容量（能力）が補正され、室外熱交換器１１ａ、１１ｂの熱交換能力が補正され、各室内ユニット２ａ、２ｂ、２ｃ、２ｄの空気の吹出温度Ｔｂが目標吹出温度Ｔｓｂに近づけられるので、空気調和装置５０の空調性を向上させることができ、空気調和装置５０の運転の安定性を向上させることができる。
【０１０３】
また、本実施の形態によれば、目標吹出温度Ｔｓｂと吹出温度Ｔｂとの差温ΔＴｂから、所定の計算式により各室内ユニット２ａ、２ｂ、２ｃ、２ｄ毎の第１補正係数としての吹出温度補正係数Ｑｂが求められ、各吹出温度補正係数Ｑｂが室内ユニット２ａ、２ｂ、２ｃ、２ｄの空調要求負荷Ｌｃａ、Ｌｃｂ、Ｌｈｃ、Ｌｈｄに乗じられることにより、室内ユニット２ａ、２ｂ、２ｃ、２ｄの空調要求負荷Ｌｃａ、Ｌｃｂ、Ｌｈｃ、Ｌｈｄが補正されることから、負荷の計算の正確さが向上するので空気調和装置５０の冷凍サイクルにおける各機器の耐久性を向上させることができ、また、圧縮機１０の容量（能力）が補正され、室外熱交換器１１ａ、１１ｂの熱交換能力が補正され、各室内ユニット２ａ、２ｂ、２ｃ、２ｄの空気の吹出温度Ｔｂが目標吹出温度Ｔｓｂに近づけられるので、空気調和装置５０の空調性を向上させることができ、空気調和装置５０の運転の安定性を向上させることができる。
【０１０４】
また、本実施の形態によれば、所定の計算式により、目標吹出温度Ｔｓｂと吹出温度Ｔｂとの差温ΔＴｂが０のとき、吹出温度補正係数Ｑｂが１となるように求められ、目標吹出温度Ｔｓｂと吹出温度Ｔｂとの差温ΔＴｂが大きければ大きいほど、吹出温度補正係数Ｑｂが大きくなるように求められることから、差温ΔＴｂが大きいほど空調要求負荷Ｌｃａ、Ｌｃｂ、Ｌｈｃ、Ｌｈｄが大きくなるよう補正され、この補正された空調要求負荷Ｌｃａ、Ｌｃｂ、Ｌｈｃ、Ｌｈｄに基づいて圧縮機１０の容量（能力）が制御され、室外熱交換器１１ａ、１１ｂの熱交換能力が制御されるので、より早く各室内ユニット２ａ、２ｂ、２ｃ、２ｄの空気の吹出温度Ｔｂが目標吹出温度Ｔｓｂに近づけられる。従って、空気調和装置５０の空調性を向上させることができ、空気調和装置５０の運転の安定性を向上させることができる。
【０１０５】
また、本実施の形態によれば、各室内ユニット２ａ、２ｂ、２ｃ、２ｄの室内ファン３０ａ、３０ｂ、３０ｃ、３０ｄの回転数（即ち、吹出風速レベル）に対応した第１補正係数としての吹出風速補正係数Ｑｖが、吹出風速レベルに対応して吹出風速補正係数Ｑｖが規定されているテーブルにより求められ、各吹出風速補正係数Ｑｖが各室内ユニット２ａ、２ｂ、２ｃ、２ｄの空調要求負荷Ｌｃａ、Ｌｃｂ、Ｌｈｃ、Ｌｈｄに乗じられることにより、各室内ユニット２ａ、２ｂ、２ｃ、２ｄの空調要求負荷Ｌｃａ、Ｌｃｂ、Ｌｈｃ、Ｌｈｄが補正されることから、負荷の計算の正確さが向上するので空気調和装置５０の冷凍サイクルにおける各機器の耐久性を向上させることができ、また、圧縮機１０の容量（能力）が補正され、室外熱交換器１１ａ、１１ｂの熱交換能力が補正され、各室内ユニット２ａ、２ｂ、２ｃ、２ｄの空気の吹出温度Ｔｂが目標吹出温度Ｔｓｂに近づけられるので、冷房運転される室内ユニット２ａ、２ｂの空気の吹出温度Ｔｂが目標吹出温度Ｔｓｂを超えて過剰に低くなるのが防止され、また、暖房運転される室内ユニット２ｃ、２ｄの空気の吹出温度Ｔｂが目標吹出温度Ｔｓｂを超えて過剰に高くなるのが防止される。従って、各室内ユニット２ａ、２ｂ、２ｃ、２ｄの空気の吹出温度Ｔｂが安定し、空気調和装置５０の空調性を向上させることができ、空気調和装置５０の運転の安定性を向上させることができる。
【０１０６】
また、本実施の形態によれば、吹出風速レベルに対応して吹出風速補正係数Ｑｖが規定されているテーブルには、吹出風速レベルが低くなればなるほど、吹出風速補正係数Ｑｖが小さくなるように規定されていることから、吹出風速が低下したとき、吹出風速補正係数Ｑｖが小さくなるので、この吹出風速補正係数Ｑｖにより空調要求負荷Ｌｃａ、Ｌｃｂ、Ｌｈｃ、Ｌｈｄが小さくなるよう補正され、この補正された空調要求負荷Ｌｃａ、Ｌｃｂ、Ｌｈｃ、Ｌｈｄに基づいて圧縮機１０の容量（能力）が制御されるとともに、室外熱交換器１１ａ、１１ｂの熱交換能力が制御される。よって、吹出温度Ｔｂが目標吹出温度Ｔｓｂに近づけられ、暖房運転される室内ユニット２ｃ、２ｄの空気の吹出温度Ｔｂが目標吹出温度Ｔｓｂを超えて過剰に高くなるのが防止され、また、冷房運転される室内ユニット２ａ、２ｂの空気の吹出温度Ｔｂが目標吹出温度Ｔｓｂを超えて過剰に低くなるのが防止されるので、各室内ユニット２ａ、２ｂ、２ｃ、２ｄの空気の吹出温度Ｔｂが安定し、空気調和装置５０の空調性を向上させることができ、空気調和装置５０の運転の安定性を向上させることができる。
【０１０７】
また、本実施の形態によれば、目標吹出温度Ｔｓｂが冷風感又は温風感の得られる温度に設定され、吹出温度Ｔｂが冷風感又は温風感の得られる目標吹出温度Ｔｓｂに近づけられるため、空調性を向上させることができる。
【０１０８】
また、本実施の形態によれば、外気温度検出手段としての外気温度センサ３２により検出される外気温度Ｔｏと、基準となる所定外気温度とに差が生じる場合、要求される空調能力に近づけるべく、外気温度Ｔｏに応じて第２補正係数が演算され、この第２補正係数を用いて室外必要負荷Ｌｏが補正されることから、負荷の計算の正確さが向上するので空気調和装置５０の冷凍サイクルにおける各機器の耐久性を向上させることができ、また、室外熱交換器１１ａ、１１ｂの熱交換能力が補正されて、要求される空調能力に近づけられるので、空気調和装置５０の運転の安定性を向上させることができ、空調性を向上させることができる。
【０１０９】
また、本実施の形態によれば、外気温度に対応する空調能力の線図（図示せず）を基に、外気温度検出手段としての外気温度センサ３２により検出された外気温度Ｔｏに対応する空調能力（冷房能力又は暖房能力）が求められ、この線図（図示せず）により求められた空調能力（冷房能力又は暖房能力）が、定格能力（所定外気温度のときの空調能力）のＸ％、即ち、要求される空調能力のＸ％であれば、第２補正係数としての外気温度補正係数Ｑｘが、１００／Ｘで演算され、この外気温度補正係数Ｑｘを用いて室外必要負荷Ｌｏが補正されることから、負荷の計算の正確さが向上するので空気調和装置５０の冷凍サイクルにおける各機器の耐久性を向上させることができ、また、室外熱交換器１１ａ、１１ｂの熱交換能力が補正され、要求される空調能力に近づけられるので、空気調和装置５０の運転の安定性を向上させることができ、空調性を向上させることができる。
【０１１０】
また、本実施の形態によれば、室内ユニット２ａ、２ｂ全体の冷房要求負荷ΣＬｃと室内ユニット２ｃ、２ｄ全体の暖房要求負荷ΣＬｈとの差｜ΣＬｃ−ΣＬｈ｜が室外必要負荷Ｌｏとして演算され、この室外必要負荷Ｌｏの演算における冷房要求負荷ΣＬｃと暖房要求負荷ΣＬｈとの内、いずれか大きい方の空調要求負荷に外気温度補正係数Ｑｘを乗じることで室外必要負荷Ｌｏが補正されることから、負荷の計算の正確さが向上するので空気調和装置５０の冷凍サイクルにおける各機器の耐久性を向上させることができ、また、室外熱交換器１１ａ、１１ｂの熱交換能力が補正され、要求される空調能力に近づけられるので、空気調和装置５０の運転の安定性を向上させることができ、空調性を向上させることができる。
【０１１１】
また、本実施の形態によれば、圧縮機１０がエンジン（図示せず）で駆動されることから、空調要求負荷Ｌｃａ、Ｌｃｂ、Ｌｈｃ、Ｌｈｄの計算の正確さの向上により、空調要求負荷Ｌｃａ、Ｌｃｂ、Ｌｈｃ、Ｌｈｄの過大計算又は過小計算によるエンジンの発停回数が減少するので、例えば、エンジンのスタータ等のエンジンを構成する機器の耐久性を向上させることができる。
【０１１２】
尚、上記の実施の形態では、負荷の大きさを表す係数として、各室内ユニット２ａ、２ｂ、２ｃ、２ｄの基本能力Ｗに各室内ユニット２ｃ、２ｄの吸込温度Ｔｒと室内設定温度Ｔｓとの差温ΔＴ（＝｜Ｔｒ−Ｔｓ｜）がそれぞれ乗じられることにより、各室内ユニット２ａ、２ｂ、２ｃ、２ｄの空調要求負荷（冷房要求負荷Ｌｃａ、Ｌｃｂ、暖房要求負荷Ｌｈｃ、Ｌｈｄ）が算出される場合を説明したが、これに限るものではなく、負荷の大きさを表す係数である各室内ユニット２ａ、２ｂ、２ｃ、２ｄの空調要求負荷（冷房要求負荷Ｌｃａ、Ｌｃｂ、暖房要求負荷Ｌｈｃ、Ｌｈｄ）と、実際の各室内ユニット２ａ、２ｂ、２ｃ、２ｄの空調要求負荷（冷房要求負荷、暖房要求負荷）とは比例関係にあるので、実際の各室内ユニット２ａ、２ｂ、２ｃ、２ｄの空調要求負荷（冷房要求負荷、暖房要求負荷）が算出される場合であってもよい。この場合、圧縮機必要負荷及び室外必要負荷は係数ではなく実際の必要負荷である。そして、例えば、負荷の大きさを表す係数である各室内ユニット２ａ、２ｂ、２ｃ、２ｄの空調要求負荷（冷房要求負荷Ｌｃａ、Ｌｃｂ、暖房要求負荷Ｌｈｃ、Ｌｈｄ）を基に実際の各室内ユニット２ａ、２ｂ、２ｃ、２ｄの空調要求負荷（冷房要求負荷、暖房要求負荷）を算出することは可能である。
【０１１３】
また、上記の実施の形態では、各室内ユニット２ａ、２ｂ、２ｃ、２ｄの吹出温度Ｔｂを目標吹出温度Ｔｓｂに近づけるべく、算出された空調要求負荷Ｌｃａ、Ｌｃｂ、Ｌｈｃ、Ｌｈｄが補正され、吹出温度Ｔｂが目標吹出温度Ｔｓｂに近づけられる場合について説明したが、吹出温度Ｔｂが目標吹出温度Ｔｓｂにされる場合も含まれているものとする。
【０１１４】
また、上記の実施の形態では、要求される空調能力に近づけるべく、外気温度Ｔｏに応じて室外必要負荷Ｌｏが補正され、要求される空調能力に近づけられる場合について説明したが、要求される空調能力にされる場合も含まれているものとする。
【０１１５】
また、上記の実施の形態では、室内ユニット２ａ、２ｂ、２ｃ、２ｄのそれぞれの運転が停止される場合は、室内膨張弁２１ａ、２１ｂ、２１ｃ、２１ｄのそれぞれが全閉操作されるとして説明したが、これに限るものではなく、第１開閉弁２５ａ、２５ｂ、２５ｃ、２５ｄのそれぞれと第２開閉弁２６ａ、２６ｂ、２６ｃ、２６ｄのそれぞれとが閉操作される場合であってもよい。
【０１１６】
また、上記の実施の形態では、室外熱交換器１１ａ、１１ｂのいずれかのみを動作させる場合、動作させない室外熱交換器１１ａ、１１ｂ側の室外膨張弁１８ａ、１８ｂのいずれかが全閉操作されるとして説明したが、これに限るものではなく、動作させない室外熱交換器１１ａ、１１ｂ側の切換弁１５ａ及び１６ａ又は切換弁１５ｂ及び１６ｂが閉操作される場合であってもよい。
【０１１７】
また、上記の実施の形態では、室内ユニット２ａ、２ｂ、２ｃ、２ｄにおいて負荷がバランスするときは、室外膨張弁１８ａ、１８ｂの全てが全閉操作されるとして説明したが、これに限るものではなく、切換弁１５ａ及び１６ａ並びに切換弁１５ｂ及び１６ｂの全てが閉操作される場合であってもよい。
【０１１８】
また、上記の実施の形態では、容量可変型圧縮機及び室外熱交換器を備えた室外ユニットと、室内熱交換器及び室内ファンを備えた複数台の室内ユニットとがユニット間配管により接続され、室内ユニットを冷房運転若しくは暖房運転可能とするよう構成された場合の例として、容量可変型圧縮機１０及び室外熱交換器１１ａ、１１ｂを備えた室外ユニット１と、室内熱交換器２０ａ、２０ｂ、２０ｃ、２０ｄ及び室内ファン３０ａ、３０ｂ、３０ｃ、３０ｄを備えた室内ユニット２ａ、２ｂ、２ｃ、２ｄとがユニット間配管４により接続され、室外熱交換器１１ａ、１１ｂの一端が、圧縮機１０の冷媒吐出管１３と冷媒吸込管１４とに択一に分岐して接続され、ユニット間配管４が、冷媒吐出管１３に接続された高圧ガス管５と、冷媒吸込管１４に接続された低圧ガス管６と、室外熱交換１１ａ、１１ｂの他端に接続された液管７とを有して構成され、室内熱交換器１１ａ、１１ｂの一端が高圧ガス管５及び低圧ガス管６に、他端が液管７にそれぞれ接続され、複数台の室内ユニット２ａ、２ｂ、２ｃ、２ｄを同時に冷房運転若しくは暖房運転可能とし、または、これらの冷房運転と暖房運転を混在して実施可能とするよう構成された場合について説明したが、これに限るものではない。例えば、容量可変型圧縮機及び室外熱交換器を備えた室外ユニットと、室内熱交換器及び室内ファンを備えた複数台の室内ユニットとが、ガス管及び液管の２本の管からなるユニット間配管により接続され、室内ユニットを冷房運転若しくは暖房運転可能とするよう構成された場合であってもよい。
【０１１９】
以上、本発明を上記実施の形態に基づいて説明したが、本発明はこれに限定されるものではない。
【０１２０】
【発明の効果】
以上のように、本発明によれば、空気調和装置の空調性や運転の安定性を向上させることができる。
【図面の簡単な説明】
【図１】本発明に係る空気調和装置の一実施の形態を示す冷媒回路図である。
【符号の説明】
１  室外ユニット
２ａ、２ｂ、２ｃ、２ｄ  室内ユニット
４  ユニット間配管
５  高圧ガス管
６  低圧ガス管
７  液管
１０  圧縮機（容量可変型圧縮機）
１１  室外熱交換器
１７  室外制御装置
１８  室外膨張弁
２０ａ、２０ｂ、２０ｃ、２０ｄ  室内熱交換器
２１ａ、２１ｂ、２１ｃ、２１ｄ  室内膨張弁
２８ａ、２８ｂ、２８ｃ、２８ｄ  室内制御装置
３０ａ、３０ｂ、３０ｃ、３０ｄ  室内ファン
３１  室外ファン
５０  空気調和装置
【図１】
0004179783.tif 000005